(57)【要約】      （修正有）【課題】所定のグループに属する所定のメンバーが購入する市販薬品について、当該所定のグループに属するメンバーによる服薬の監査を行うことにより、所定のグループのメンバー全員について、購入された市販薬品の服薬の安全性を確認する。【解決手段】所定のグループに属する所定のメンバーが購入申込を行った市販薬品について、当該所定のグループに属するメンバーによる服薬の監査を行う服薬監査処理システム１は、特定処理部１２により、グループ情報記憶部１Ｂを参照して、市販薬品の購入申込を行ったメンバーが属するグループを特定すると共に、当該グループに属する他のメンバーを特定すると、監査処理部１５により、薬品情報記憶部１Ｆ及び判断根拠情報記憶部１Ｃを参照して、市販薬品の購入申込を行ったメンバーが属するグループ内のメンバーごとに、購入申込が行われた市販薬品の服薬可否を判定する。【選択図】図１
2019091227.tif 000002
【特許請求の範囲】
【請求項１】
所定のグループに属する所定のメンバーが購入申込を行った市販薬品について、当該所定のグループに属するメンバーによる服薬の監査を行うシステムであって、
グループごとに、当該グループに属するメンバーを関連付けて記憶するグループ情報記憶手段と、
上記市販薬品の服薬条件を含む薬品情報を記憶した薬品情報記憶手段と、
上記メンバーごとに、上記市販薬品の服薬可否の判断根拠となる情報を記憶した判断根拠情報記憶手段と、
上記グループ情報記憶手段を参照して、上記市販薬品の購入申込を行ったメンバーが属するグループを特定すると共に、当該グループに属する他のメンバーを特定する特定処理手段と、
上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する監査処理手段と、を有する、
ことを特徴とする服薬監査処理システム。
【請求項２】
上記メンバーに対して処方された処方薬の薬歴を記憶する第一薬歴情報記憶手段、をさらに有し、
上記監査処理手段はさらに、上記第一薬歴情報記憶手段を参照して、上記市販薬品の購入申込を行ったメンバーが属するグループ内のメンバーごとに、上記処方薬との関係で、上記購入申込が行われた市販薬品の服薬可否を判定する、
請求項１記載の服薬監査処理システム。
【請求項３】
上記薬歴情報記憶手段を参照して、上記処方薬の処方日及び処方日数から、上記メンバーについて、服薬中の処方薬の有無を判別する第一判別処理手段、をさらに有し、
上記監査処理手段はさらに、服薬中の処方薬との関係で、上記購入申込が行われた市販薬品の服薬可否を判別する、
請求項２記載の服薬監査処理システム。
【請求項４】
上記メンバーによる市販薬品の購入履歴を記憶する購入履歴記憶手段と、
上記メンバーによる市販薬品の購入申込に応じて、上記購入履歴記憶手段を参照して、上記市販薬品の購入申込を行ったメンバーが属するグループ内のメンバーにより、上記購入申込に係る市販薬品と同一の市販薬品が購入されているか否かを判別する第二判別処理手段と、をさらに有する、
請求項１乃至３いずれかの項に記載の服薬監査処理システム。
【請求項５】
上記市販薬品の購入申込を行ったメンバーから、上記所定のグループに属するメンバーごとの監査結果に基づき、上記購入申込が行われた市販薬品を服薬するメンバーに係る服薬情報と監査結果の承認情報の入力を受け付ける受付手段、をさらに有する、
請求項１乃至４いずれかの項に記載の服薬監査処理システム。
【請求項６】
上記購入申込が行われた市販薬品を服薬するメンバーについて、当該市販薬品を服薬する旨の情報を記憶する第二薬歴情報記憶手段、をさらに有し、
上記監査処理手段はさらに、服薬中の市販薬品との関係で、上記購入申込が行われた市販薬品の服薬可否を判別する、
請求項５記載の服薬監査処理システム。
【請求項７】
所定のグループに属する所定のメンバーが購入申込を行った市販薬品について、当該所定のグループに属するメンバーによる服薬の監査を行う方法であって、
グループごとに、当該グループに属するメンバーを関連付けて記憶するグループ情報記憶手段と、
上記市販薬品の服薬条件を含む薬品情報を記憶した薬品情報記憶手段と、
上記メンバーごとに、上記市販薬品の服薬可否の判断根拠となる情報を記憶した判断根拠情報記憶手段と、を有するコンピュータにより、
上記グループ情報記憶手段を参照して、上記市販薬品の購入申込を行ったメンバーが属するグループを特定すると共に、当該グループに属する他のメンバーを特定する処理と、
上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する処理と、を実行する、
ことを特徴とする服薬監査処理方法。
【請求項８】
所定のグループに属する所定のメンバーが購入申込を行った市販薬品について、当該所定のグループに属するメンバーによる服薬の監査を行うためのコンピュータプログラムであって、
グループごとに、当該グループに属するメンバーを関連付けて記憶するグループ情報記憶手段と、
上記市販薬品の服薬条件を含む薬品情報を記憶した薬品情報記憶手段と、
上記メンバーごとに、上記市販薬品の服薬可否の判断根拠となる情報を記憶した判断根拠情報記憶手段と、を有するコンピュータに対し、
上記グループ情報記憶手段を参照して、上記市販薬品の購入申込を行ったメンバーが属するグループを特定すると共に、当該グループに属する他のメンバーを特定する処理と、
上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する処理と、を実行させる、
コンピュータプログラム。
【発明の詳細な説明】
【技術分野】
【０００１】
本発明は、市販薬品の販売や処方薬の処方を行う調剤薬局等の薬局において、顧客が市販薬品を購入する際、当該顧客と一定の関係にある者による当該市販薬品の服薬を監査する技術に関する。
【背景技術】
【０００２】
近時、処方箋の調剤を行う調剤薬局においても、市販薬品（ＯＴＣ：Over-the-counter drug）を取り扱うことが多くなってきている。
市販薬品は処方薬と異なり、基本的には誰でも気軽に購入できるが、患者の持病や患者が服用している他の薬との関係では、服薬が適切でない場合こともあるため、薬剤師がその点をケアできるのが望ましい。
【０００３】
一方、従来の病院や薬局のシステムでは処方薬の処方がメインであったことから、投薬は患者ごとに行われ、患者の家族単位などで投薬の影響を考慮する必要はなかった。
しかし、市販薬品では購入した患者のみならず、家族が服用する場合も多いため、家族の状況を把握した上で、市販薬品を販売することが望ましいといえる。
【０００４】
【特許文献１】特開２００５−１０９０４号公報
【特許文献２】特開２０１１−６５６６１号公報
【特許文献３】特開２０１４−１２３２７９号公報
【発明の開示】
【発明が解決しようとする課題】
【０００５】
上記先行特許文献では、処方箋の処方を受ける患者の情報登録において、家族の情報を登録することが記載されている。しかしながら、家族の情報の登録目的は、家族による会計処理、家族に処方されている処方箋の情報共有などであり、家族が購入した市販薬品と処方薬の飲み合わせが判断されるようなことはない。
【０００６】
そこで本発明は、所定のグループに属する所定のメンバーが購入する市販薬品について、当該所定のグループに属するメンバーによる服薬の監査を行うことにより、所定のグループのメンバー全員について、購入された市販薬品の服薬の安全性を確認することを目的とする。
【課題を解決するための手段】
【０００７】
上記目的を達成するため、本発明の一の観点に係る服薬監査処理システムは、所定のグループに属する所定のメンバーが購入申込を行った市販薬品について、当該所定のグループに属するメンバーによる服薬の監査を行うシステムであって、グループごとに、当該グループに属するメンバーを関連付けて記憶するグループ情報記憶手段と、上記市販薬品の服薬条件を含む薬品情報を記憶した薬品情報記憶手段と、上記メンバーごとに、上記市販薬品の服薬可否の判断根拠となる情報を記憶した判断根拠情報記憶手段と、上記グループ情報記憶手段を参照して、上記市販薬品の購入申込を行ったメンバーが属するグループを特定すると共に、当該グループに属する他のメンバーを特定する特定処理手段と、上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する監査処理手段と、を有することを特徴とする。
【０００８】
また、上記メンバーに対して処方された処方薬の薬歴を記憶する第一薬歴情報記憶手段、をさらに有し、上記監査処理手段はさらに、上記第一薬歴情報記憶手段を参照して、上記市販薬品の購入申込を行ったメンバーが属するグループ内のメンバーごとに、上記処方薬との関係で、上記購入申込が行われた市販薬品の服薬可否を判定するものとしてもよい。
【０００９】
また、上記薬歴情報記憶手段を参照して、上記処方薬の処方日及び処方日数から、上記メンバーについて、服薬中の処方薬の有無を判別する第一判別処理手段、をさらに有し、上記監査処理手段はさらに、服薬中の処方薬との関係で、上記購入申込が行われた市販薬品の服薬可否を判別するものとしてもよい。
【００１０】
また、上記メンバーによる市販薬品の購入履歴を記憶する購入履歴記憶手段と、上記メンバーによる市販薬品の購入申込に応じて、上記購入履歴記憶手段を参照して、上記市販薬品の購入申込を行ったメンバーが属するグループ内のメンバーにより、上記購入申込に係る市販薬品と同一の市販薬品が購入されているか否かを判別する第二判別処理手段と、をさらに有するものとしてもよい。
【００１１】
また、上記市販薬品の購入申込を行ったメンバーから、上記所定のグループに属するメンバーごとの監査結果に基づき、上記購入申込が行われた市販薬品を服薬するメンバーに係る服薬情報と監査結果の承認情報の入力を受け付ける受付手段、をさらに有するものとしてもよい。
【００１２】
また、上記購入申込が行われた市販薬品を服薬するメンバーについて、当該市販薬品を服薬する旨の情報を記憶する第二薬歴情報記憶手段、をさらに有し、上記監査処理手段はさらに、服薬中の市販薬品との関係で、上記購入申込が行われた市販薬品の服薬可否を判別すものとしてもよい。
【００１３】
また、本発明の別の観点に係る服薬監査処理方法は、所定のグループに属する所定のメンバーが購入申込を行った市販薬品について、当該所定のグループに属するメンバーによる服薬の監査を行う方法であって、グループごとに、当該グループに属するメンバーを関連付けて記憶するグループ情報記憶手段と、上記市販薬品の服薬条件を含む薬品情報を記憶した薬品情報記憶手段と、上記メンバーごとに、上記市販薬品の服薬可否の判断根拠となる情報を記憶した判断根拠情報記憶手段と、を有するコンピュータにより、上記グループ情報記憶手段を参照して、上記市販薬品の購入申込を行ったメンバーが属するグループを特定すると共に、当該グループに属する他のメンバーを特定する処理と、上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する処理と、を実行することを特徴とする。
【００１４】
また、本発明の別の観点に係るコンピュータプログラムは、所定のグループに属する所定のメンバーが購入申込を行った市販薬品について、当該所定のグループに属するメンバーによる服薬の監査を行うためのコンピュータプログラムであって、グループごとに、当該グループに属するメンバーを関連付けて記憶するグループ情報記憶手段と、上記市販薬品の服薬条件を含む薬品情報を記憶した薬品情報記憶手段と、上記メンバーごとに、上記市販薬品の服薬可否の判断根拠となる情報を記憶した判断根拠情報記憶手段と、を有するコンピュータに対し、上記グループ情報記憶手段を参照して、上記市販薬品の購入申込を行ったメンバーが属するグループを特定すると共に、当該グループに属する他のメンバーを特定する処理と、上記薬品情報記憶手段及び上記判断根拠情報記憶手段を参照して、上記市販薬品の購入申込を行ったメンバーが属するグループ内のメンバーごとに、上記購入申込が行われた市販薬品の服薬可否を判定する処理と、を実行させる。
【発明の効果】
【００１５】
本発明によれば、所定のグループに属する所定のメンバーが購入する市販薬品について、当該所定のグループに属するメンバーによる服薬の監査が行われる。その結果、所定のグループのメンバー全員について、購入された市販薬品の服薬の安全性を確認することができる。
【図面の簡単な説明】
【００１６】
【図１】本発明の実施形態に係る服薬監査処理システムが備える機能を示した機能ブロック図である。
【図２】本実施形態に係る服薬監査処理システムにおいて、顧客属性情報記憶部に記憶されるデータの一例を示した図である。
【図３】本実施形態に係る服薬監査処理システムにおいて、グループ情報記憶部に記憶されるデータの一例を示した図である。
【図４】本実施形態に係る服薬監査処理システムにおいて、判断根拠情報記憶部に記憶されるデータの一例を示した図である。
【図５】本実施形態に係る服薬監査処理システムにおいて、購入履歴情報記憶部に記憶されるデータの一例を示したである。
【図６】本実施形態に係る服薬監査処理システムにおいて、薬歴情報記憶部に記憶されるデータの一例を示した図である。
【図７】本実施形態に係る服薬監査処理システムにおいて、薬品情報記憶部に記憶されるデータの一例を示したである。
【図８】本実施形態に係る服薬監査処理システムにおいて実行される処理の流れを示したシーケンス図である。
【図９】本実施形態に係る服薬監査処理システムにおいて実行される処理の流れを示した処理フロー図である。
【図１０】本実施形態に係る服薬監査処理システムにおける出力画面の一例を示した図である。
【図１１】本実施形態に係る服薬監査処理システムにおける出力画面の一例を示した図である。
【図１２】本実施形態に係る服薬監査処理システムにおける出力画面の一例を示した図である。
【図１３】本実施形態に係る服薬監査処理システムにおける出力画面の一例を示した図である。
【発明を実施するための最良の形態】
【００１７】
以下、本発明の実施形態に係る服薬監査処理システム１について、図を参照して説明する。
図１に示す本実施形態に係る服薬監査処理システム１は、顧客が購入申込を行った市販薬品について、当該顧客の家族等による服薬の監査を行うシステムである。
【００１８】
この服薬監査処理システム１は例えば、クライアント１ｂサーバ１ａモデルによって構築され、サーバ１ａはCPU（Central Processing Unit）、RAM（Random Access Memory）、ROM（Read Only Memory）、ハードディスクドライブといったハードウェア資源、CPUが実行するコンピュータプログラム等のソフトウェア資源により、顧客属性情報記憶部１Ａ、グループ情報記憶部１Ｂ、判断根拠情報記憶部１Ｃ、購入履歴情報記憶部１Ｄ、薬歴情報記憶部１Ｅ、薬品情報記憶部１Ｆ、検索処理部１１、特定処理部１２、抽出処理部１３、判別処理部１４、監査処理部１５、登録処理部１６、及び通信処理部１７からなる機能部を備える。
一方、クライアント１ｂは、CPU、RAM、ROMといったハードウェア資源、CPUが実行するコンピュータプログラム等のソフトウェア資源により、読取処理部２１、入出力処理部２２、及び通信処理部２３からなる機能部を備える。
【００１９】
顧客属性情報記憶部１Ａは、市販薬を購入する顧客の属性情報を記憶した記憶部である。
この顧客属性情報記憶部１Ａには例えば、図２に示されるように、顧客を識別可能なメンバーID、氏名、性別、生年月日、住所、連絡先、ポイントカード情報などが関連付けて記憶されている。
【００２０】
ここで、顧客は後述する所定のグループに属するメンバーの一人であり、メンバーＩＤは、所定のグループに属する一人のメンバーとしての顧客を識別する情報である。なお、グループとメンバーについて具体的な例を挙げると、グループが家族である場合、顧客たるメンバーは当該家族のうちの一人である。
なお、ポイントカード情報は、市販薬品の購入や処方薬の処方に応じて蓄積されるポイントに関する情報であり、所定のメンバーに対して発行されたポイントカードのＩＤやポイント数などの情報によって構成される。このポイントカード情報は、同一のグループに属するメンバーで共用できるようになっていてもよい。
【００２１】
グループ情報記憶部１Ｂは、所定のグループごとに、グループに属するメンバーを関連付けて記憶する記憶部である。
このグループ情報記憶部１Ｂには例えば、図３に示されるように、グループを識別するグループＩＤごとに、当該グループに属するメンバーがメンバーＩＤによって関連付けて記憶されている。
【００２２】
ここで、グループとは、相互に一定の関係を有するメンバーによって構成される集団であって、一のメンバーが購入した市販薬品を共用し得る集団が想定され、具体例を挙げると家族とその一員である。この例でいえば、本発明の実施は、家族のうちの一人が購入する市販薬品について、他の家族による当該市販薬品の服薬を監査する。
【００２３】
判断根拠情報記憶部１Ｃは、メンバーごとに、市販薬品の服薬可否の判断根拠となる情報を記憶した記憶部である。
この判断根拠情報記憶部１Ｃには例えば、図４に示されるように、顧客を識別するメンバーＩＤに関連付けて、障害や妊娠、授乳の有無など、所定の市販薬品の服薬が不適切あるいは禁忌とされる要因に係る情報が記憶されている。
【００２４】
購入履歴情報記憶部１Ｄは、顧客による市販薬品の購入履歴に係る情報を記憶する記憶部である。
この購入履歴情報記憶部１Ｄには例えば、図５に示されるように、顧客を識別するメンバーＩＤに関連付けて、購入市販薬名、購入日時、承認情報、服薬メンバー情報が記憶されている。
【００２５】
ここで、承認情報とは、所定のグループに属するメンバーごとの監査結果について、市販薬品の購入申込を行ったメンバーが承認したことを示す情報である。
また、服薬メンバー情報とは、購入申込が行われた市販薬品を服薬するメンバーの情報であって、市販薬品の購入申込を行ったメンバーによって指定された情報である。
【００２６】
薬歴情報記憶部１Ｅは、メンバーごとに、メンバーに対して処方された処方薬の薬歴に係る情報を記憶した記憶部である。
この薬歴情報記憶部１Ｅには例えば、図６に示されるように、顧客を識別するメンバーＩＤに関連付けて、メンバーに対して処方された処方薬と、メンバーが服薬する市販薬品に係る情報が記憶される。
【００２７】
ここで、処方薬に係る情報としては例えば、処方薬名、処方日、処方日数、処方医師に係る情報が含まれる。
また、市販薬品に係る情報は、所定のメンバーが市販薬品を購入した際、当該所定のメンバーによって当該市販薬品を服薬するメンバーとして指定された場合に関連付けられる。
これにより、所定のメンバーについて、服薬している処方薬や市販薬品の情報を把握することができる。
【００２８】
薬品情報記憶部１Ｆは、薬品の情報を記憶した記憶部である。
この薬品情報記憶部１Ｆには例えば、図７に示されるように、薬品名、薬品の分類、服薬条件、薬品の説明に係る情報が記憶されている。
服薬条件は、服薬の可否を判断するための情報であって、飲み合わせの禁忌に関する情報である。
また、薬品説明は、薬品の一般的な説明書に係る情報であって、効能・効果、用法・用量、副作用などの服薬上の注意点等に係る情報からなる。
【００２９】
検索処理部１１は、顧客属性情報記憶部１Ａを参照して、市販薬品を購入する顧客の情報を検索する処理を実行する機能部である。
【００３０】
特定処理部１２は、グループ情報記憶部１Ｂを参照して、市販薬を購入する顧客が属するグループを特定すると共に、当該グループに属する他のメンバーを特定する処理を実行する。
【００３１】
抽出処理部１３は、各記憶部から所定の情報を抽出する処理を実行する。
例えば、監査処理部１５による服薬の監査に応じて、所定の市販薬品の薬品情報を薬品情報記憶部１Ｆから抽出したり、顧客の判断根拠情報を判断根拠情報記憶部１Ｃから抽出したりする。
【００３２】
判別処理部１４は、所定のメンバーについて、服薬中の処方薬の有無を判別すると共に、服薬中の処方薬がある場合には当該服薬中の処方薬を特定する。
この処理ではまず、薬歴情報記憶部１Ｅが参照され、所定のメンバーに対する処方薬の処方日及び処方日数の情報から、当該所定のメンバーが処方薬を服薬中か否かが判別される。即ち、処方薬の処方日と処方日数によって、いつまで処方薬を服薬中であるかを把握することができ、これにより現在、所定のメンバーが処方薬を服薬中か否かが判別される。
【００３３】
監査処理部１５は、市販薬品の購入申込を行ったメンバーが属するグループ内のメンバーごとに、当該市販薬品の服薬可否に係る監査の処理を実行する。
この監査の処理では、購入申込が行われた市販薬品について、薬品情報記憶部１Ｆを参照して当該市販薬品の情報を取得する。そして、当該取得した情報に基づき、各メンバーの判断根拠情報や服薬中の処方薬、服薬中の他の市販薬品との関係で、服薬の可否が判別される。なお、判断根拠情報は判断根拠情報記憶部１Ｃを参照することによって、また、服薬中の処方薬や他の市販薬品の情報は薬歴情報記憶部１Ｅを参照することによって把握可能である。
【００３４】
登録処理部１６は、各種の情報を各記憶部に登録する処理を実行する。
例えば、顧客による市販薬品の購入履歴を購入履歴情報記憶部１Ｄに登録したり、顧客に対して処方された処方薬の情報を薬歴情報記憶部１Ｅに登録したりする。
また、顧客が購入する市販薬品について、当該顧客が属するグループのメンバーのうち、当該市販薬品を服薬するメンバーの情報を購入履歴情報記憶部１Ｄに登録したり、当該市販薬品に対する監査の結果に対する承認情報を購入履歴情報記憶部１Ｄに登録したりする。
【００３５】
通信処理部１７は、インターネット等のネットワークＮＷを介してクライアント１ｂとデータの送受信処理を実行する。
【００３６】
読取処理部２１は、市販薬品の情報を取得するための機能部であって、市販薬品に付されたラベルに表示されているバーコードやＱＲコード（登録商標）等を読み取る処理を実行する。
なお、市販薬品の情報の取得はこれに限らず、市販薬品の品番や名称等を入出力処理部２２によって入力することでも可能である。
【００３７】
入出力処理部２２は、データの入出力を行う機能部であって、ディスプレイやキーボードのほか、バーコード等にコード化された情報を取得するによって実現される。
【００３８】
通信処理部２３は、インターネット等のネットワークＮＷを介してサーバ１ａとデータの送受信処理を実行する。
【００３９】
続いて、本実施形態に係る服薬監査処理システム１によって実行される処理の流れについて、図８を参照して説明する。
まず、顧客が所定の市販薬品の購入を申し込むと、これに応じて薬局の調剤士等の服薬監査システムのユーザは服薬監査システムに当該顧客の検索を要求し、検索処理部１１が顧客属性情報記憶部１Ａを参照して当該顧客を検索する（Ｓ１０１）。
なお、顧客の検索は例えば、顧客の氏名や顧客ＩＤを検索用キーワードとして受け付けることによって実行可能である。また、顧客情報がない場合には、顧客から顧客属性情報を受け付け、新規に顧客属性情報を顧客属性情報記憶部１Ａに登録するとよい。
【００４０】
ここで、顧客の検索の後、クライアント１ｂ上に表示される顧客情報の出力画面の一例を図１０に示す。
この出力画面例では、顧客属性情報を表示する顧客属性情報表示欄１０１、判断根拠情報を患者特性として表示する判断根拠情報表示欄１０２、顧客が属するグループのメンバーの情報を家族情報として表示したメンバー情報表示欄１０３、これまでに購入された市販薬品の情報をＯＴＣ購入歴リストとして表示した薬歴情報表示欄１０４、監査処理の対象となる処方薬又は市販薬品の情報を患者情報として表示した監査対象薬品表示欄１０５が設けられている。
また、この出力画面の下方には、市販薬品の情報を取得するためのコマンドとして、「バーコード読取」ボタン１０６が設けられており、このボタン１０６を押下して、市販薬品のバーコードを読み込むと、市販薬品の情報を取得できるようになっている。
【００４１】
顧客の情報が検索されると、顧客が購入を申し込む市販薬品の情報を取得する（Ｓ１０２）。
市販薬品の情報は例えば、市販薬品のラベル等に表示され、市販薬品を特定可能な情報がコード化されているバーコード等を読取処理部２１によって読み取ることで取得される。
【００４２】
他方、特定処理部１２は、顧客のメンバーＩＤに基づき、グループ情報記憶部１Ｂを参照して当該顧客がメンバーとして属するグループを特定すると共に、当該グループの他のメンバーを特定する（Ｓ１０３）。
また、抽出処理部１３は、購入申込に係る市販薬品の情報を薬品情報記憶部１Ｆから抽出する（Ｓ１０４）。
【００４３】
監査処理部１５は、市販薬品の購入申込を行った顧客が属するグループのメンバーごとに、当該市販薬品の服薬可否の判断に係る監査処理を実行する（Ｓ１０５）。
【００４４】
ここで、メンバーごとの監査処理の流れを図９に示す。
まず、抽出処理部１３は、判断根拠情報記憶部１Ｃを参照して、監査を行うメンバーの判断根拠情報を抽出する（Ｓ２０１）。
【００４５】
判別処理部１４は、監査を行うメンバーについて、薬歴情報記憶部１Ｅを参照して服薬中の処方薬があるか否かを判別する（Ｓ２０２）。
この処理では、薬歴情報記憶部１Ｅに処方薬の登録があるか否かが判別され、薬歴情報記憶部１Ｅに処方薬の登録があった場合、当該処方薬の処方日及び処方日数の情報から、現在においても当該処方薬を服薬中か否かが判別される。
その結果、服薬中の処方薬があった場合には、抽出処理部１３により薬歴情報記憶部１Ｅから服薬中の処方薬の情報が抽出される（Ｓ２０３）。
【００４６】
同時に判別処理部１４は、監査を行うメンバーについて、薬歴情報記憶部１Ｅを参照して服薬中の市販薬品があるか否かを判別する（Ｓ２０４）。
この処理では、薬歴情報記憶部１Ｅに服薬中の市販薬品の登録があるか否かが判別され、薬歴情報記憶部１Ｅに市販薬品の登録があった場合、当該市販薬品を服薬しているものとみなす。
その結果、服薬中の市販薬品があった場合には、抽出処理部１３により薬歴情報記憶部１Ｅから府脚注の市販薬品の情報が抽出される（Ｓ２０５）。
【００４７】
監査処理部１５は、購入申込に係る市販薬品の情報に基づき、各メンバーの判断根拠情報、及び服薬中の処方薬や市販薬品の情報を参照して、各メンバーによる購入申込に係る市販薬品の服薬可否を判別する（Ｓ２０６）。
【００４８】
監査処理の結果は、図１１の例に示される出力画面として、クライアント１ｂ上に表示される（Ｓ１０６）。
即ち、出力画面上には、購入申込に係る市販薬品の情報を表示する市販薬品情報表示欄１１１、顧客の監査結果を示す監査結果表示欄１１２、顧客が属するメンバーの監査結果を示す監査結果表示欄１１３が設けられている。
【００４９】
なお、市販薬品の情報は適宜、所定の市販薬品情報の詳細表示を要求するボタン等の押下により、出力させることができる。
図１２は、市販薬品情報の表示画面の一例であり、薬剤師等は当該情報に基づいて顧客に服薬指導を行うことができる。なお、当該市販薬品情報は、薬品情報記憶部１Ｆから抽出されたものである。
【００５０】
薬剤師等のユーザは、監査処理の結果を説明した後、所定の確認画面を表示して（Ｓ１０７）、購入申込が行われた市販薬品を服薬するメンバーに係る服薬情報と監査結果の承認情報の入力を受け付ける（Ｓ１０８）。
【００５１】
所定の確認画面の一例を図１３に示す。
確認画面では、顧客の情報を表示する顧客情報表示欄１２１と顧客のグループに属するメンバーの情報を表示するメンバー情報表示欄１２２が設けられている。顧客と各メンバーに対してはさらに、購入申込に係る市販薬品の監査の結果、服薬が適切でない場合にその旨を示す情報（図１２の例では、エクスクラメーションマーク１２３が表示される）が表示されている。
また、監査内容に対する顧客の承認を入力するチェック欄１２４、メンバーごとに服薬如何を選択するチェック欄１２５、監査結果や服薬条件等について任意に入力されたテキストを表示するテキスト欄１２６が設けられている。
【００５２】
確認画面にチェック等を入力して確定すると、当該情報は登録処理部１６により、購入情報として購入履歴情報記憶部１Ｄに記憶される（Ｓ１０９）。
なお、この際、購入された市販薬品を服薬するメンバーとして指定されたメンバーについては、顧客自身を含め、服薬する市販薬品として当該市販薬品に係る情報が薬歴情報記憶部１Ｅに登録される。
【００５３】
以上の本実施形態に係る服薬監査処理システム１によれば、所定のグループに属する所定のメンバーが購入する市販薬品について、当該所定のグループに属するメンバーによる服薬の監査が行われる。その結果、所定のグループのメンバー全員について、購入された市販薬品の服薬の安全性を確認することができる。
【００５４】
なお、以上の本実施形態においては、顧客による市販薬品の購入申込に応じて、購入履歴記憶部を参照して、市販薬品の購入申込を行ったメンバーが属するグループ内のメンバーにより、購入申込に係る市販薬品と同一の市販薬品が購入されているか否かを判別する手段を設け、既に購入されている場合には、これを顧客に知らせるようにしてもよい。
これにより、グループ内で同一の市販薬品を重複購入することを防ぐことができる。
【符号の説明】
【００５５】
１        服薬監査処理システム
１ａ      サーバ
１ｂ      クライアント
１Ａ      顧客属性情報記憶部
１Ｂ      グループ情報記憶部
１Ｃ      判断根拠情報記憶部
１Ｄ      購入履歴情報記憶部
１Ｅ      薬歴情報記憶部
１Ｆ      薬品情報記憶部
１１      検索処理部
１２      特定処理部
１３      抽出処理部
１４      判別処理部
１５      監査処理部
１６      登録処理部
１７      通信処理部
２１      読取処理部
２２      入出力処理部
２３      通信処理部
ＮＷ      ネットワーク
【図１】
2019091227.tif 000003
【図２】
2019091227.tif 000004
【図３】
2019091227.tif 000005
【図４】
2019091227.tif 000006
【図５】
2019091227.tif 000007
【図６】
2019091227.tif 000008
【図７】
2019091227.tif 000009
【図８】
2019091227.tif 000010
【図９】
2019091227.tif 000011
【図１０】
2019091227.tif 000012
【図１１】
2019091227.tif 000013
【図１２】
2019091227.tif 000014
【図１３】
2019091227.tif 000015